(57)【特許請求の範囲】
【請求項１】
炊飯器本体の上端開口を開閉する外蓋(2)に、炊飯時の蒸気(S)を排出する蒸気排出口部(3)が形成されている炊飯器に於いて、
前記蒸気排出口部(3)は、前記外蓋(2)に開設された装着孔に対して着脱自在に嵌着されるノズル体(30)で構成されており、
ノズル体(30)は、内部が蒸気通路(36)となった直方体状の胴筒部(34)と、該胴筒部(34)の上端開口をほぼ全域的に覆う蒸気案内板(35)を備えており、蒸気案内板(35)の一方の長辺部と胴筒部(34)の上端縁との境界に横長スリット状の噴出口(31)が形成されて、蒸気が前記噴出口(31)から斜め上向きに噴出するように構成され、
前記ノズル体(30)の内部には、胴筒部(34)の内周に沿った外周形状を有する長方形板から構成され、短辺と平行な複数のスリット(330)(330)が開設されている拡散板(33)が嵌入装着されていることを特徴とする炊飯器。
【請求項２】
請求項１に記載の炊飯器に於いて、
前記蒸気排出口部(3)を閉塞する泡状のオネバを吹き飛ばし得る蒸気速度が生じる程度に、前記蒸気排出口部(3)の開口面積が絞られている、炊飯器。
【請求項３】
請求項１又は２に記載の炊飯器に於いて、
前記ノズル体は、前後に反転させた状態で前記装着孔に装着できる、炊飯器。
【請求項４】
炊飯器の蓋体に開設された装着孔に着脱自在に装着され、炊飯器内で発生する蒸気を外部に排出するノズル体に於いて、
ノズル体は、内部が蒸気通路となった直方体状の胴筒部と、該胴筒部の上端開口をほぼ全域的に覆う蒸気案内板を備えており、蒸気案内板の一方の長辺部と胴筒部の上端縁との境界に横長スリット状の噴出口が形成されて、蒸気が前記噴出口から斜め上向きに噴出するように構成され、
ノズル体の内部に、胴筒部の内周に沿った外周形状を有する長方形板から構成され、短辺と平行な複数のスリットが開設されている拡散板が嵌入装着されていることを特徴とする炊飯器の蒸気排出用のノズル体。
【発明の詳細な説明】
【技術分野】
【０００１】
本発明は、炊飯時に生成される蒸気を適正に排出させる炊飯器、及び、蒸気排出用のノズル体に関するものである。
【背景技術】
【０００２】
図６は従来の炊飯器の外観斜視図であり、炊飯器(A)の外蓋(2)には、上向きに開放する蒸気排出口部(3)が形成され、炊飯時に発生する蒸気(S)が蒸気排出口部(3)から真上に向けて排出されるようになっている。
【特許文献１】実開平４−１３５２２９号公報（図２）
【発明の開示】
【発明が解決しようとする課題】
【０００３】
しかしながら、上記従来のものでは、蒸気排出口部(3)が上向きに開放しており、炊飯時の蒸気(S)が真上に排出されるから、例えば、台所の食器棚(91)に形成された炊飯器設置室(92)に設置した炊飯器(A)で炊飯する場合には、炊飯器設置室(92)の天井面に蒸気(S)が接触して結露する場合がある。
【０００４】
この場合、前記天井面に結露した水滴が、炊飯器(A)の外蓋(2)上に落下してこれを汚染することがあり、又、上向きに開放する蒸気排出口部(3)に結露水が落下・侵入して衛生的にも好ましくないという問題があった。
【０００５】
本発明はかかる点に鑑みて成されたもので、炊飯器(A)の外蓋(2)に形成された蒸気排出口部(3)から排出される蒸気(S)が、前記炊飯器設置室(92)の天井面等に接触して結露するのを防止し、これにより、前記天井面から落下する結露水で炊飯器(A)の外蓋(2)が汚染されたり、外蓋(2)に形成された蒸気排出口部(3)に結露水が浸入するのを防止することを課題とする。
【課題を解決するための手段】
【０００６】
１．上記課題を解決する為に講じた請求項１に係る発明は、
『炊飯器本体の上端開口を開閉する外蓋(2)に、炊飯時の蒸気(S)を排出する蒸気排出口部(3)が形成されている炊飯器に於いて、
前記蒸気排出口部(3)は、前記外蓋(2)に開設された装着孔に対して着脱自在に嵌着されるノズル体(30)で構成されており、
ノズル体(30)は、内部が蒸気通路(36)となった直方体状の胴筒部(34)と、該胴筒部(34)の上端開口をほぼ全域的に覆う蒸気案内板(35)を備えており、蒸気案内板(35)の一方の長辺部と胴筒部(34)の上端縁との境界に横長スリット状の噴出口(31)が形成されて、蒸気が前記噴出口(31)から斜め上向きに噴出するように構成され、
前記ノズル体(30)の内部には、胴筒部(34)の内周に沿った外周形状を有する長方形板から構成され、短辺と平行な複数のスリット(330)(330)が開設されている拡散板(33)が嵌入装着されている』ことを特徴とする。
上記解決手段によれば、炊飯時に発生する蒸気(S)は、外蓋(2)に設けられた蒸気排出口部(3)から斜め上方に向けて排出されるから、外蓋(2)の真上に位置する天井面に蒸気(S)が接触して結露することがない。よって、結露水が外蓋(2)上に落下してこれを汚染することがなく、又、外蓋(2)に形成された蒸気排出口部(3)内に結露水が落下して衛生を害する心配がない。
【０００７】
２．請求項２に係る発明のように、
『請求項１に記載の炊飯器に於いて、
前記蒸気排出口部(3)を閉塞する泡状のオネバを吹き飛ばし得る蒸気速度が生じる程度に、前記蒸気排出口部(3)の開口面積が絞られている』ものでは、蒸気排気口部(3)を閉塞する泡状のオネバ（粘稠性のある澱粉液）が蒸気(S)で勢い良く吹き飛ばされ、これにより、オネバの泡切れが改善される。
尚、前記蒸気速度に設定する為には、１．０リットル炊きの炊飯器では蒸気排出口部(3)の開口面積を１．０ｃｍ2〜１．５ｃｍ2に設定すれば良いことが確認できた。
【０００８】
３．請求項３に係る発明のように、
『請求項１又は２に記載の炊飯器に於いて、
前記ノズル体は、前後に反転させた状態で前記装着孔に装着できる』ものでは、炊飯器(A)の設置場所に応じて蒸気(S)の排出方向を前後自由に設定することができる。
【０００９】
４．請求項４に係る発明のように、
『炊飯器の蓋体に開設された装着孔に着脱自在に装着され、炊飯器内で発生する蒸気を外部に排出するノズル体に於いて、
ノズル体は、内部が蒸気通路となった直方体状の胴筒部と、該胴筒部の上端開口をほぼ全域的に覆う蒸気案内板を備えており、蒸気案内板の一方の長辺部と胴筒部の上端縁との境界に横長スリット状の噴出口が形成されて、蒸気が前記噴出口から斜め上向きに噴出するように構成され、
ノズル体の内部に、胴筒部の内周に沿った外周形状を有する長方形板から構成され、短辺と平行な複数のスリットが開設されている』ものでは、請求項１〜３の炊飯器の蒸気排出口部(3)として適用できるノズル体を提供できる。
【発明の効果】
【００１０】
請求項１に係る発明によれば、上記のように、炊飯器の外蓋(2)の真上に位置する天井面で蒸気(S)が結露することがないから、結露水が外蓋(2)上に落下してこれを汚染することがなく、又、外蓋(2)に形成された蒸気排出口部(3)内に結露水が落下して衛生を害する心配がない。
【００１１】
請求項２の発明では、請求項１の発明の効果に加えて、前述のようにオネバの泡切れが改善される効果が得られる。
【００１２】
請求項３に係る発明によれば、ノズル体を前後反転させた状態で外蓋(2)に装着できるから、炊飯器(A)の設置場所に応じて蒸気(S)の排出方向を前後自由に設定することができる。
【００１３】
請求項４に係る発明では、請求項１〜３の炊飯器の蒸気排出口部(3)に適用できるノズル体を提供できる。
【発明を実施するための最良の形態】
【００１４】
以下に、本発明を実施するための最良の形態について添付図面を参照しながら説明する。
図１に示すように、炊飯器(A)の正面上部には操作部(10)が形成されていると共に、その後方には外蓋(2)のロックレバー(12)が設けられている。
外蓋(2)は、内釜(11)を収容する炊飯器本体(1)の後部に上下回動自在に軸支されており、該外蓋(2)によって炊飯器本体(1)の上端開口が開閉されるようになっている。
外蓋(2)には、炊飯時に発生する蒸気(S)を斜め上方に排出する為のノズル体(30)が着脱自在に装着されており、本実施の形態では、前記ノズル体(30)によって蒸気排出口部(3)が構成されている。
【００１５】
ノズル体(30)は、内部が蒸気通路(36)となった直方体状の胴筒部(34)と、該胴筒部(34)の上端開口をほぼ全域的に覆う蒸気案内板(35)を備えており、蒸気案内板(35)の一方の長辺部と胴筒部(34)の上端縁との境界には横長スリット状の噴出口(31)が形成されている。又、蒸気案内板(35)は、前記噴出口(31)からその反対側の基端部(350)に向けて順次低くなるように傾斜しており、これにより、蒸気が噴出口(31)から斜め上向きに噴出するように構成されている。
【００１６】
又、噴出口(31)の開口面積は、排出される蒸気(S)の速度を高める為に絞られている。具体的には、１．０リットル炊きの炊飯器の場合、前記開口面積は１．０ｃｍ2〜１．５ｃｍ2の大きさに絞られている。これにより、図５のように、食器棚(91)に形成された炊飯器設置室(92)等で炊飯する場合でも、確実に、外蓋(2)の真上の天井面(920)から外れた方向に蒸気(S)が噴出されるようにしている。
【００１７】
又、ノズル体(30)の胴筒部(34)の上部外周には、炊飯器(A)の外蓋(2)に開設された装着孔(21)（図４参照）の周縁に係合する係合フランジ(37)が周設されている。又、胴筒部(34)の長手方向の両端部には、一対の弾性係合片(38)(38)が垂下突出していると共に、その外面には係合リブ(39)(39)が隆起している。
【００１８】
一方、ノズル体(30)の内部には拡散板(33)が嵌入装着されていると共に、該拡散板(33)によって水平方向全体に亘って蒸気が拡散されるようになっている。
前記拡散板(33)は、前記外装ケース(32)を構成する胴筒部(34)の内周に沿った外周形状を有する長方形板で構成されており、短辺と平行な複数のスリット(330)(330)が等ピッチで開設されている。拡散板(33)の一方の長辺は、前記胴筒部(34)内に形成された位置決め段部(340)に下方から係合すると共に、拡散板(33)の一対の短辺部に係合突起(331)(331)が突設されており、該係合突起(331)(331)はノズル体(30)の胴筒部(34)の構成壁に開設された係合孔(341)(341)に強制的に係合されるようになっている（図４参照）。従って、拡散板(33)をノズル体(30)の胴筒部(34)に下方から強制的に嵌入すると、拡散板(33)の両端に突出する係合突起(331)(331)が前記胴筒部(34)に開設された係合孔(341)(341)に係合して安定する。
【００１９】
このものでは、図４に示すように、炊飯器(A)の外蓋(2)に開設された装着孔(21)にノズル体(30)の胴筒部(34)を弾性係合片(38)(38)側から差し込むと、弾性係合片(38)(38)の外面の係合リブ(39)(39)が、炊飯器(A)の外蓋(2)の裏板(20)の孔部(200)の周縁に係合し、これにより、ノズル体(30)が外蓋(2)に装着される。一方、図４に示すように、装着状態にあるノズル体(30)を外蓋(2)から取り外すときは、弾性係合片(38)(38)を相互に接近させる方向に変形させて係合リブ(39)(39)と孔部(200)の周縁の係合を解除し、この状態でノズル体(30)を上方に引き抜く。
【００２０】
このものでは、炊飯器の外蓋(2)に開設された装着孔(21)に蒸気排出口部(3)となるノズル体(30)を装着すると、図１，図５に示すように、ノズル体(30)の噴出口(31)が斜め上方を向く。この状態で、図５に示すように、炊飯器(A)を食器棚(91)の炊飯器設置室(92)等に設置して炊飯すると、ノズル体(30)の噴出口(31)からの蒸気(S)が斜め上方に向けて排出される。従って、真上に蒸気(S)が排出される既述従来のものと相違し、炊飯器(A)の外蓋(2)の真上の天井面(920)に蒸気(S)が接触して結露することがない。従って、結露水が天井面(920)から外蓋(2)上に落下して該外蓋(2)を汚染したり、ノズル体(30)の噴出口(31)内に侵入する心配がない。
【００２１】
又、本実施の形態に係る炊飯器(A)では、噴出口(31)の開口面積を前述の大きさに絞ることによって、排出される蒸気の速度を大きくしている。従って、炊飯時に生成されるオネバが蒸気(S)と共に噴出口(31)から勢い良く吹き飛ばされ、これにより、噴出口(31)部分にオネバの気泡が生成されるのが防止されてオネバの泡切れが改善される。
【００２２】
尚、上記実施の形態では、噴出口(31)が前方を向く姿勢でノズル体(30)を外蓋(2)に装着したが、ノズル体(30)を前後反転させ、噴出口(31)が炊飯器(A)の後方を向く姿勢で装着してもよい。このようにすると、炊飯器(A)の設置場所に応じて蒸気(S)の排出方向を前後自由に設定することができる。
【図面の簡単な説明】
【００２４】
【図１】本発明の実施の形態に係る炊飯器の斜視図
【図２】図１の炊飯器に装着されたノズル体(30)の外観斜視図
【図３】図２のノズル体(30)の断面斜視図
【図４】図２のノズル体(30)の縦断面図
【図５】本発明の実施の形態に係る炊飯器の側面図
【図６】従来例の説明図
【符号の説明】
【００２５】
(1)・・・炊飯器本体
(2)・・・蓋体
(3)・・・蒸気排出口部
(21)・・・装着孔
(30)・・・ノズル体
(31)・・・噴出口
(A)・・・炊飯器
【図１】
0004550687.tif 000002
【図２】
0004550687.tif 000003
【図３】
0004550687.tif 000004
【図４】
0004550687.tif 000005
【図５】
0004550687.tif 000006
【図６】
0004550687.tif 000007